(57)【要約】【課題】  供給ロッドの一部にかみ合い角部を設け、過小寸法のプロジェクションナットが送出されないようにしたプロジェクションナットの供給装置および供給方法を提供する。【解決手段】  パーツフィーダ３３から伸びるナット供給管８を経て送出されてきたプロジェクションナット４を供給ロッド６で串刺し状にして目的箇所へ供給する形式のものにおいて、供給ロッド６は大径の摺動ロッド２４と小径のガイドロッド２５によって構成され、摺動ロッド２４とガイドロッド２５の境界部に押出し面２６が設けられ、押出し面２６の最大寸法を正常ナット４Ａの表面寸法を下回る過小な異常ナット４Ｂの表面寸法よりも大きくすることにより、押出し面２６の端縁部にかみ合い角部３２を設けた。【選択図】  図５
2006075899.tif 000002
【特許請求の範囲】
【請求項１】
パーツフィーダから伸びるナット供給管を経て送出されてきたプロジェクションナットをストッパ面に当てて所定位置に停止させ、その後、供給ロッドのガイドロッドをプロジェクションナットのねじ孔内へ串刺し状に貫通させてプロジェクションナットを目的箇所へ供給する形式のものにおいて、供給ロッドは大径の摺動ロッドと小径のガイドロッドによって構成され、摺動ロッドとガイドロッドの境界部に押出し面が設けられ、押出し面の最大寸法を正常ナットの表面寸法を下回る過小な異常ナットの表面寸法よりも大きくすることにより、押出し面の端縁部にかみ合い角部を設けたことを特徴とするプロジェクションナットの供給制御装置。
【請求項２】
請求項１において、前記かみ合い角部が、ストッパ面に当たっている過小ナットのつぎに待機している正常ナットおよび／または異常ナットのナット表面に圧接することにより、正常ナットおよび／または異常ナットの下面と上面端部とがそれぞれナット供給管の開口部とナット供給管の上側内面に圧接するように開口部の大きさおよびナット供給管の内部高さが設定されていることを特徴とするプロジェクションナットの供給制御装置。
【請求項３】
請求項１または請求項２において、前記プロジェクションナットは、その上側および下側の表面がほぼ正方形であることを特徴とするプロジェクションナットの供給制御装置。
【請求項４】
請求項１〜請求項３のいずれかにおいて、パーツフィーダに前記異常ナットの排出手段が設けられていることを特徴とするプロジェクションナットの供給制御装置。
【請求項５】
パーツフィーダから伸びるナット供給管を経て送出されてきたプロジェクションナットをストッパ面に当てて所定位置に停止させ、その後、供給ロッドのガイドロッドをプロジェクションナットのねじ孔内へ串刺し状に貫通させてプロジェクションナットを目的箇所へ供給する形式のものにおいて、供給ロッドは大径の摺動ロッドと小径のガイドロッドによって構成され、摺動ロッドとガイドロッドの境界部に押出し面が設けられ、押出し面の最大寸法を正常ナットの表面寸法を下回る過小な異常ナットの表面寸法よりも大きくすることにより、押出し面の端縁部にかみ合い角部を設け、異常ナットがストッパ面に位置決めされているときに供給ロッドが進出すると、前記異常ナットのつぎに待機している正常ナットおよび／または異常ナットの表面に前記かみ合い角部が圧接することにより、正常ナットおよび／または異常ナットがナット供給管の開口部とナット供給管の上側内面に圧接して、供給ロッドの進出を抑止することを特徴とするプロジェクションナットの供給制御方法。
【発明の詳細な説明】
【技術分野】
【０００１】  この発明は、プロジェクションナットを供給する分野におけるものであり、供給ロッドのガイドロッドをプロジェクションナットのねじ孔内へ串刺し状に貫通させて、ナット供給を行うものに関している。
【背景技術】
【０００２】  パーツフィーダ、例えば、円形のボウルに振動を与えてプロジェクションナットを送出するパ−ツフィ−ダとこのパ−ツフィ−ダからのプロジェクションナットをストッパ面に当てて所定位置に停止させ、その後、供給ロッドのガイドロッドをプロジェクションナットのねじ孔内へ串刺し状に貫通させてプロジェクションナットを目的箇所へ供給する形式のものが知られている。
【特許文献１】特許第３３０９２４５号公報
【発明の開示】
【発明が解決しようとする課題】
【０００３】  プロジェクションナットは、通常、図８に示すように、四角い形状のものが多く採用されている。図８において、プロジェクションナット４の上側の表面４ａと下側の表面４ｂとは、ほぼ正方形とされている。正常な寸法のものとして溶接されるプロジェクションナット４の寸法は、例えば、縦Ｌ１が１２ｍｍ、横Ｌ２が１２ｍｍ、厚さＴが４．５ｍｍ、前記表面４ａ，４ｂの中央部に設けられたねじ孔の内径Ｄは６ｍｍである。そして、下側の表面４ｂの四隅に溶着用の突起４ｃが設けられている。【０００４】  パ−ツフィ−ダ内へ入れられるプロジェクションナットは、常に同一寸法の正常なものばかりであればよいのであるが、搬送中等に何等かの原因で正常寸法以外の正常寸法よりも小さな寸法のものが混入することがある。とくに、前記正常寸法に対して、表面の縦Ｌ１と横Ｌ２だけがそれぞれ１０ｍｍのように小さくなっていて、他の寸法は同じとされている場合がある。以下、このような過小寸法のものを「異常ナット」という。例えば、正常ナットを入れた部品箱と異常ナットを入れた部品箱とを並べて自動車の荷台に積載しているようなときには、走行中に荷台が振動するとナットが跳ねて隣の部品箱に入ることがある。または、作業者がまちがって異常寸法のものを正規寸法のところへ混入させることもある。【０００５】  このような現象により小サイズの異常ナットが目的箇所に供給されて相手方の鋼板部品に溶接されると、溶接強度が不足して製品の強度品質が低下する恐れがある。【０００６】  さらに、従来のプロジェクションナットの供給をシステムとして見てみると、パ−ツフィ−ダ側の送出コントロールと供給ロッドの構造・寸法との有機的な関連性が設定されていないので、異常寸法のナットに対する解決策が満足にとれていないという問題がある。【０００７】  本発明は、以上に述べた課題を解決するために提供されたもので、供給ロッドの一部にかみ合い角部を設け、過小寸法のプロジェクションナットが送出されないようにしたプロジェクションナットの供給装置および供給方法を提供することを目的とする。
【課題を解決するための手段】
【０００８】  請求項１記載のプロジェクションナットの供給装置は、パーツフィーダから伸びるナット供給管を経て送出されてきたプロジェクションナットをストッパ面に当てて所定位置に停止させ、その後、供給ロッドのガイドロッドをプロジェクションナットのねじ孔内へ串刺し状に貫通させてプロジェクションナットを目的箇所へ供給する形式のものにおいて、供給ロッドは大径の摺動ロッドと小径のガイドロッドによって構成され、摺動ロッドとガイドロッドの境界部に押出し面が設けられ、押出し面の最大寸法を正常ナットの表面寸法を下回る過小な異常ナットの表面寸法よりも大きくすることにより、押出し面の端縁部にかみ合い角部を設けたことを特徴とする。【０００９】  また、請求項５記載のプロジェクションナットの供給方法は、パーツフィーダから伸びるナット供給管を経て送出されてきたプロジェクションナットをストッパ面に当てて所定位置に停止させ、その後、供給ロッドのガイドロッドをプロジェクションナットのねじ孔内へ串刺し状に貫通させてプロジェクションナットを目的箇所へ供給する形式のものにおいて、供給ロッドは大径の摺動ロッドと小径のガイドロッドによって構成され、摺動ロッドとガイドロッドの境界部に押出し面が設けられ、押出し面の最大寸法を正常ナットの表面寸法を下回る過小な異常ナットの表面寸法よりも大きくすることにより、押出し面の端縁部にかみ合い角部を設け、異常ナットがストッパ面に位置決めされているときに供給ロッドが進出すると、前記異常ナットのつぎに待機している正常ナットおよび／または異常ナットの表面に前記かみ合い角部が圧接することにより、正常ナットおよび／または異常ナットがナット供給管の開口部とナット供給管の上側内面に圧接して、供給ロッドの進出を抑止することを特徴とする。
【発明の効果】
【００１０】  前記プロジェクションナットの供給装置は、供給ロッドに設けた押出し面の最大寸法を正常ナットの表面寸法を下回る過小な異常ナットの表面寸法よりも大きくすることにより、押出し面の端縁部にかみ合い角部を設けたものであるから、異常ナットがストッパ面に位置決めされているときに供給ロッドが進出すると、前記異常ナットのつぎに待機している正常ナットおよび／または異常ナットの表面に前記かみ合い角部が圧接することにより、正常ナットおよび／または異常ナットがナット供給管の開口部とナット供給管の上側内面に圧接して、供給ロッドの進出を抑止する。したがって、前記の待機している正常ナットおよび／または異常ナットが前記かみ合い角部によって加圧されるので、待機している正常ナットおよび／または異常ナットがかみ合い角部とナット供給管との間でロックされた状態になり、供給ロッドの進出が抑止され、異常ナットが目的箇所へ供給されることが確実に防止される。【００１１】  請求項２記載のプロジェクションナットの供給装置は、請求項１において、前記かみ合い角部が、ストッパ面に当たっている過小ナットのつぎに待機している正常ナットおよび／または異常ナットのナット表面に圧接することにより、正常ナットおよび／または異常ナットの下面と上面端部とがそれぞれナット供給管の開口部とナット供給管の上側内面に圧接するように開口部の大きさおよびナット供給管の内部高さが設定されていることを特徴とする。このため、待機している正常ナットおよび／または異常ナットは、下面と上面端部とがそれぞれナット供給管の開口部とナット供給管の上側内面に圧接することから、待機しているナットがあたかも梃のような形態でかみ合い角部とナット供給管との間でロックされた状態になり、供給ロッドの進出が抑止され、異常ナットが目的箇所へ供給されることが確実に防止される。【００１２】  請求項３記載のプロジェクションナットの供給装置は、請求項１または請求項２において、前記プロジェクションナットは、その上側および下側の表面がほぼ正方形であることを特徴とする。したがって、正方形部分の寸法が過小の異常ナットであっても、過小であることによるかみ合い角部の形成とその圧接作用により、異常ナットの供給が確実に阻止される。【００１３】  請求項４記載のプロジェクションナットの供給装置は、請求項１〜請求項３のいずれかにおいて、パーツフィーダに前記異常ナットの排出手段が設けられていることを特徴とする。すなわち、パーツフィーダに設けられた異常ナットの排出手段と供給ロッドに設けたかみ合い角部との作用が複合して、確実な異常ナットの排除がなされる。つまり、まず最初にパーツフィーダにおいて過小な異常ナットを排除しておき、それでも万一、異常ナットがパーツフィーダから前記ストッパ面の箇所に供給されることが発生した場合には、前記のような作用により異常ナットの供給が阻止される。したがって、異常ナットはパーツフィーダと供給ロッドのかみ合い角部との有機的な相互作用により、パーツフィーダから供給ロッドにいたるシステムとして、異常ナットの供給を阻止し、信頼性の高い供給制御が実現する。【００１４】  請求項５記載のプロジェクションナットの供給制御��法は、前記の待機している正常ナットおよび／または異常ナットが前記かみ合い角部によって加圧されるので、待機している正常ナットおよび／または異常ナットがかみ合い角部とナット供給管との間でロックされた状態になり、供給ロッドの進出が抑止され、異常ナットが目的箇所へ供給されることが確実に防止される。
【発明を実施するための最良の形態】
【００１５】  つぎに、本発明のプロジェクションナットの供給装置および供給方法の最良の実施形態を説明する。
【実施例１】
【００１６】  まず、図２の供給ロッドの作動ユニットについて説明すると、固定電極１と可動電極２とが同軸上に配置され、固定電極１上に鋼板部品３が載置してあり、その上に置かれたプロジェクションナット４に可動電極２が密着して、ナット４が鋼板部品３に対して電気抵抗溶接がなされる。供給ロッドの作動ユニットは符号５で全般的に示されている。作動ユニット５は、主として供給ロッド６とそれを案内するガイド管７と後述のパ−ツフィ−ダ３３に接続されているナット供給管８および磁石９からなっている。【００１７】  作動ユニット５の詳細構造を図１で説明すると、ガイド管７の端面１０に矩形断面のナット供給管８の先端部分を密着させて溶接してある。本発明で供給制御の対象になるナット４は、図８に示めした前述のような形状である。図３には２点鎖線で正方形の形状が図示されている。このような形状のナットを表裏や向きを正しく維持するために、ナット供給管８は矩形断面とされている。ナット供給管８の先端部には仮止室１１を形成する切欠き１２が設けてある。この切欠き１２が、ナット供給管８の開口部を形成している。この開口部についても同じ符号１２が付されている。ガイド管７の下部には切除部１３によって平面１４が形成され、この平面はナット供給管８の端面１５と一連の同一平面を形成している。【００１８】  やや偏平な直方体をなした厚板状の磁石（永久磁石）９は、図１や図３から明らかなように前記平面１４と端面１５に押し付けた状態で固定されている。この固定方法の一例として、押え金具１６をボルト１７でねじ止めする方法を採用した。磁石９はやや厚い基板１８に磁石２０をはめ込み、片側から被覆板２１を密着させたもので、溶接でこの密着がなされている。磁石２０がナット４に対応した位置におかれ、被覆板２１の表面がストッパ面２８とされていて、ナット４が磁石で吸着されて一時係止されていることにより、仮止室１１内における位置決めがなされている。【００１９】  ガイド管７内のガイド孔２３内に挿入された供給ロッド６は、断面円形の大径の摺動ロッド２４と、小径でナット４のねじ孔２９に進入する断面円形のガイドロッド２５からなり、両者の境界部に円形の押出し面２６が設けてある。ガイドロッド２５の外径はナット４のねじ孔２９の内径よりも小さく設定してある。図１は、正常ナット４Ａが磁石９に吸引されて仮止室１１内に一時係止されている状態であり、このときにはガイドロッド２５の軸心とねじ孔２９の軸心とが同軸になっている。換言すると、このような同軸状態が得られるようにガイドロッド２５の軸心とストッパ面２８との間隔が設定されているのである。【００２０】  供給ロッド６が進出してくると、ガイドロッド２５がナット４Ａのねじ孔内に進入して押出し面２６でナット４Ａを押し下げてゆき、ガイドロッド２５の先端が固定電極１のがガイドピン３０の直近で停止すると、今度はナット４Ａがガイドピン２５を滑動してナットのねじ孔２９がガイドピン３０に嵌まり合うのである。供給ロッド６が進出中にナット４Ａを押出し面２６に接触させておくために、供給ロッド６の進出速度をナットの落下速度とほぼ同じかまたはそれよりも速く設定してある。なお、供給ロッド６の進退作動��、図２に示したようなエアシリンダ２７で行わせるのが適当である。【００２１】  エアシリンダ２７に取り付けられているセンサー３９は、供給ロッド６がナット４Ａを固定電極１のガイドピン３０に供給してからエアシリンダ２７のピストン（図示していない）が戻るときの動きを検知し、その検知信号により可動電極２を進出させるものである。【００２２】  図１に示されているプロジェクションナット４は、前述の事例で示した縦Ｌ１，横Ｌ２が共に１２ｍｍである正常な寸法のものである。正常寸法の正常ナットには符号４Ａが付されている。一方、前述の事例で示した縦Ｌ１，横Ｌ２が共に１０ｍｍであり、他の寸法は正常ナット４Ａと同じである異常ナットには、符号４Ｂが付されている。したがって、異常ナット４Ｂの表面寸法は、正常ナット４Ａの表面寸法を下回っている。なお、表面寸法の大小は、縦Ｌ１，横Ｌ２の寸法の大小または表面４ａ，４ｂの対角線の大小を意味している。【００２３】  図４に示すように、押出し面２６の最大寸法は摺動ロッド２４の直径ｄであり、正常ナット４Ａの表面寸法を下回る異常ナット４Ｂの表面寸法よりも摺動ロッド２４の直径ｄを大きく設定することにより、押出し面２６の端縁部にかみ合い角部３２が形成されている。図４（Ｂ）に示す例は、摺動ロッド２４の直径ｄよりも異常ナット４Ｂの対角線の長さが小さい場合であり、同図（Ｃ）の例は、摺動ロッド２４の直径ｄと異常ナット４Ｂの対角線の長さが等しい場合である。【００２４】  図５に示す動作状態は、ストッパ面２８に停止している異常ナット４Ｂにガイドロッド２５が貫通してしまった場合である。この場合には、異常ナット４Ｂのつぎに待機している正常ナット４Ａの表面に前記かみ合い角部３２が圧接することにより、正常ナット４Ａがナット供給管８の開口部１２とナット供給管８の上側内面８ａに圧接して、供給ロッド６の進出を抑止する。したがって、前記の待機している正常ナット４Ａが前記かみ合い角部３２によって加圧されるので、待機している正常ナット４Ａがかみ合い角部３２とナット供給管８との間でロックされた状態になり、供給ロッド６の進出が抑止され、異常ナット４Ｂが目的箇所へ供給されることが確実に防止される。すなわち、かみ合い角部３２が正常ナット４Ａの表面４ａの端部近傍を加圧するので、図５に示すように、傾斜してロック状態になる。【００２５】  上述のような正常ナット４Ａのロック現象を得るために、開口部１２の大きさすなわち切欠き（開口部）１２とかみ合い角部３２との間の距離や、ナット供給管８の内部高さが設定されている。なお、「正常ナットおよび／または異常ナット」なる表現は、ガイドロッド２５が貫通している異常ナット４Ｂに続くナットが正常ナットである場合と異常ナットである場合があるのでそのような表現をしている。【００２６】  図６に示す動作状態は、ストッパ面２８に吸着している異常ナット４Ｂに対してガイドロッド２５が進出して、ガイドロッド２５の先端で異常ナット４Ｂが同図（Ｂ）に示すように、弾き飛ばされた状態である。異常ナット４Ｂは弾き飛ばされているので、目的箇所であるガイドピン３０に供給されることはない。そして、かみ合い角部３２が正常ナット４Ａの表面４ａに��接すると、図５の場合と同様に、供給ロッド６の進出が抑止される。すなわち、かみ合い角部３２が正常ナット４Ａの表面４ａの端部近傍を加圧するので、図６（Ｂ）に示すように、傾斜してロック状態になる。
【実施例２】
【００２７】  図７は、本発明のプロジェクションナットの供給制御装置および供給制御方法の第２の実施例を示す。【００２８】  この実施例は、前記かみ合い角部３２による供給ロッド６のロック動作とシステム的に連動しているものである。【００２９】  振動式パーツフィーダ３３の円形のボウル３４の内周に沿って螺旋形の送出通路３５が設けられ、この送出通路３５はナット供給管８に接続されている。送出通路３５は、ボウル３４の外周側が低くなるように傾斜しており、その途中に過小寸法の異常ナット４Ｂを排出する選別孔３６があけられている。図７（Ｂ）に示すように、選別孔３６の幅は、正常ナット４Ａは選別孔３６を跨ぐようにして通過し、過小寸法である異常ナット４Ｂは同図（Ｃ）に示すように、選別孔３６を跨ぐことができずに、選別孔３６から転落する。転落した異常ナット４Ｂはボウル３４内に戻ることがないよう、ボウル３４の外側に設けた隔離ボックス３７にため込まれる。【００３０】  以上に説明した実施例の作用効果を列記すると、つぎのとおりである。【００３１】  異常ナット４Ｂがストッパ面２８に位置決めされているときに供給ロッド６が進出すると、前記異常ナット４Ｂのつぎに待機している正常ナット４Ａの表面に前記かみ合い角部３２が圧接することにより、正常ナット４Ａがナット供給管８の開口部１２とナット供給管８の上側内面８ａに圧接して、供給ロッド６の進出を抑止する。したがって、前記の待機している正常ナット４Ａが前記かみ合い角部３２によって加圧されるので、待機している正常ナット４Ａがかみ合い角部３２とナット供給管８との間でロックされた状態になり、供給ロッド６の進出が抑止され、異常ナット４Ｂが目的箇所へ供給されることが確実に防止される。【００３２】  待機している正常ナット４Ａは、下面と上面端部とがそれぞれナット供給管８の開口部１２とナット供給管８の上側内面８ａに圧接することから、待機しているナットがあたかも梃のような形態でかみ合い角部３２とナット供給管８との間でロックされた状態になり、供給ロッド６の進出が抑止され、異常ナット４Ｂが目的箇所へ供給されることが確実に防止される。【００３３】  正方形部分の寸法が過小の異常ナット４Ｂであっても、過小であることによるかみ合い角部３２の形成とその圧接作用により、異常ナット４Ｂの供給が確実に阻止される。【００３４】  パーツフィーダ３３に設けられた異常ナット４Ｂの選別孔３６と供給ロッド６に設けたかみ合い角部３２との作用が複合して、確実な異常ナット４Ｂの排除がなされる。つまり、まず最初にパーツフィーダ３３において過小な異常ナット４Ｂを排除しておき、それでも万一、異常ナット４Ｂがパーツフィーダ３３から前記ストッパ面２８の箇所に供給されることが発生した場合には、前記のような作用により異常ナット４Ｂの供給が阻止される。したがって、異常ナット４Ｂはパーツフィーダ３３と供給ロッド６のかみ合い角部３２との有機的な相互作用により、パーツフィーダ３３から供給ロッド６にいたるシステムとして、異常ナット４Ｂの供給を阻止し、信頼性の高い供給制御が実現する。【００３５】  プロジェクションナットの供給制御方法は、前記の待機している正常ナット４Ａが前記かみ合い角部３２によって加圧されるので、待機している正常ナット４Ａがかみ合い角部３２とナット供給管８との間でロックされた状態になり、供給ロッド６の進出が抑止され、異常ナット４Ｂが目的箇所へ供給されることが確実に防止される。
【産業上の利用可能性】
【００３６】  本発明は、かみ合い角部を設けることにより、供給ロッドの進出が抑止されるので、異常ナットの供給が確実に防止され、プロジェクションナットの溶接品質を大幅に向上させることができ、種々な産業分野での利用が期待できる。
【図面の簡単な説明】
【００３７】
【図１】  本発明の実施の形態を示す縦断側面図である。
【図２】  作動ユニット全体を示す側面図である。
【図３】  図１の部分を下から見た平面図である。
【図４】  かみ合い角部の形成状態を示す図である。
【図５】  供給ロッドの動作状態を示す縦断側面図である。
【図６】  供給ロッドの動作状態を示す縦断側面図である。
【図７】  パ−ツフィ−ダの簡略的な各部の図である。
【図８】  プロジェクションナットの斜視図である。
【符号の説明】
【００３８】  ３３        パーツフィーダ
８          ナット供給管
４          プロジェクションナット
２８        ストッパ面
６          供給ロッド
２４        摺動ロッド
２５        ガイドロッド
２６        押出し面
２９        ねじ孔
３２        かみ合い角部
【図１】
2006075899.tif 000003
【図２】
2006075899.tif 000004
【図３】
2006075899.tif 000005
【図４】
2006075899.tif 000006
【図６】
2006075899.tif 000007
【図５】
2006075899.tif 000008
【図７】
2006075899.tif 000009
【図８】
2006075899.tif 000010